(57)【要約】【課題】従来の技術における安定性の問題を解決するため、電流保存複製機能の持ち、再生調節段階において複製電流信号を導通する電流保存複製モジュールを含むデジタル／アナログ電流変換回路を提供する。【解決手段】デジタル／アナログ電流変換回路３４は、デジタル信号をアナログ電流信号に変換するデジタル／アナログ電流変換器と、変換保存段階においてアナログ電流信号を導通するに必要な予定電圧を保存し、再生調節段階において複製電流信号をデータラインに導通する電流保存複製モジュール４２と、デジタル／アナログ電流変換器と電流保存複製モジュール４２との間に電気的に接続され、デジタル／アナログ電流変換回路３４を変換保存段階と再生調節段階に切り替えさせる制御回路とを含む。【選択図】      図３
2004274692.tif 000002
【特許請求の範囲】
【請求項１】
デジタル／アナログ電流変換回路であって、該デジタル／アナログ電流変換回路は、
デジタル信号をアナログ電流信号に変換するデジタル／アナログ電流変換器と、
変換保存段階においてアナログ電流信号を導通するに必要な予定電圧を保存し、再生調節段階において複製電流信号をデータラインに導通する電流保存複製モジュールと、
デジタル／アナログ電流変換器と電流保存複製モジュールとの間に電気的に接続され、デジタル／アナログ電流変換回路を変換保存段階と再生調節段階に切り替えさせる制御回路とを含むことを特徴とするデジタル／アナログ電流変換回路。
【請求項２】
前記複製電流信号がアナログ電流信号とほぼ同じであることを特徴とする請求項１記載のデジタル／アナログ電流変換回路。
【請求項３】
前記複製電流信号が予定電圧によって発生することを特徴とする請求項２記載のデジタル／アナログ電流変換回路。
【請求項４】
前記電流保存複製モジュールは少なくとも一つのコンデンサーと、複数のＭＯＳトランジスターもしくは薄膜トランジスターとを具え、前記予定電圧値はそのうち一つのトランジスターのゲート−ソース電圧であることを特徴とする請求項１記載のデジタル／アナログ電流変換回路。
【請求項５】
前記制御回路はスイッチ信号を受信し、デジタル／アナログ電流変換回路を変換保存段階と再生調節段階に切り替えさせることを特徴とする請求項１記載のデジタル／アナログ電流変換回路。
【請求項６】
前記制御回路が受信したスイッチ信号が高電位にある場合、デジタル／アナログ電流変換回路は変換保存段階にあり、制御回路はデジタル／アナログ電流変換器と電流保存複製モジュールとを互いに接続させ、デジタル／アナログ電流変換器により発生するアナログ電流信号を電流保存複製モジュールに導通し、電流保存複製モジュールはアナログ電流信号を導通するに必要な予定電圧を保存することを特徴とする請求項５記載のデジタル／アナログ電流変換回路。
【請求項７】
前記スイッチ信号が低電位にある場合、デジタル／アナログ電流変換回路は再生調節段階にあり、制御回路はデジタル／アナログ電流変換器と電流保存複製モジュールとの接続を切断し、複製電流信号をデータラインに導通することを特徴とする請求項５記載のデジタル／アナログ電流変換回路。
【請求項８】
前記スイッチ信号がシフトレジスターによって発生することを特徴とする請求項５記載のデジタル／アナログ電流変換回路。
【請求項９】
前記デジタル／アナログ電流変換器は電流調節型デジタル／アナログ電流変換器またはその他のデジタル／アナログ電流変換器であることを特徴とする請求項１記載のデジタル／アナログ電流変換回路。
【請求項１０】
前記デジタル／アナログ電流変換回路は有機発光ダイオードディスプレイ、ポリマー発光ダイオードディスプレイまたはその他の電流駆動のディスプレイに応用されることを特徴とする請求項１記載のデジタル／アナログ電流変換回路。
【請求項１１】
ディスプレイに使用されるデジタル／アナログ電流変換回路であって、該デジタル／アナログ電流変換回路は、
受信したデジタル信号をアナログ電流信号に変換する電流調節式デジタル／アナログ電流変換器と、
それぞれ対応する変換保存段階においてアナログ電流信号を導通するに必要な予定電圧を保存し、対応する再生調節段階において複製電流信号を対応するデータラインに導通する複数の電流保存複製モジュールと、
それぞれデジタル／アナログ電流変換器と電流保存複製モジュールとの間に電気的に接続され、デジタル／アナログ電流変換回路を変換保存段階と再生調節段階に切り替えさせる制御回路とを含み、
そのうち各電流保存複製モジュールの発生する複製電流信号がアナログ電流信号とほぼ同じであることを特徴とするデジタル／アナログ電流変換回路。
【請求項１２】
前記各電流保存複製モジュールにおいて、複製電流信号は予定電圧により発生することを特徴とする請求項１１記載のデジタル／アナログ電流変換回路。
【請求項１３】
前記各電流保存複製モジュールは少なくとも一つのコンデンサーと、複数のＭＯＳトランジスターもしくは薄膜トランジスターとを具え、前記予定電圧値はそのうち一つのトランジスターのゲート−ソース電圧であることを特徴とする請求項１１記載のデジタル／アナログ電流変換回路。
【請求項１４】
前記各制御回路は電流保存複製モジュールに対応し、各制御回路は対応するスイッチ信号を受信し、制御回路に対応する電流保存複製モジュールを変換保存段階と再生調節段階に切り替えさせることを特徴とする請求項１１記載のデジタル／アナログ電流変換回路。
【請求項１５】
前記制御回路が受信したスイッチ信号が高電位にある場合、制御回路に対応する電流保存複製モジュールは変換保存段階にあり、制御回路はデジタル／アナログ電流変換器と電流保存複製モジュールとを互いに接続させ、デジタル／アナログ電流変換器により発生するアナログ電流信号を制御回路に対応する電流保存複製モジュールに導通し、電流保存複製モジュールはアナログ電流信号を導通するに必要な予定電圧を保存することを特徴とする請求項１４記載のデジタル／アナログ電流変換回路。
【請求項１６】
前記制御回路が受信したスイッチ信号が低電位にある場合、制御回路に対応する電流保存複製モジュールは再生調節段階にあり、制御回路はデジタル／アナログ電流変換器と電流保存複製モジュールとの接続を切断し、複製電流信号を対応するデータラインに導通することを特徴とする請求項１４記載のデジタル／アナログ電流変換回路。
【請求項１７】
前記各制御回路に対応するスイッチ信号は少なくとも一つのシフトレジスターによって発生することを特徴とする請求項１４記載のデジタル／アナログ電流変換回路。
【請求項１８】
前記ディスプレイは有機発光ダイオードディスプレイ、ポリマー発光ダイオードディスプレイまたはその他の電流駆動のディスプレイであることを特徴とする請求項１１記載のデジタル／アナログ電流変換回路。
【発明の詳細な説明】
【０００１】
【発明の属する技術分野】
この発明はデジタル／アナログ電流変換回路に関し、特に電流保存複製モジュールを具えて電流保存複製機能の持つデジタル／アナログ電流変換回路に関する。
【０００２】
【従来の技術】
有機発光ダイオードディスプレイは高光度、高反応速度、大視角、薄型などの特長を持つため、液晶ディスプレイとその関連表示装置と同じく、コンパクトな表示装置に応用される。その応用範囲については、数多くの電気製品、例えばノートブック型コンピューターまたはデジタルカメラの分野から、航空宇宙、医療機器の分野まで幅広く使われている。現在数多くの有機発光ダイオードディスプレイは近年業界が開発した低温ポリシリコン薄膜トランジスター技術と結合し、低温ポリシリコン薄膜トランジスターを能動素子のスイッチとする。
【０００３】
省エネルギー、システム統合の便利性とコストの節約に配慮するうえ、液晶ディスプレイの発展と同じく、数多くの有機発光ダイオードディスプレイはデジタルデータ入力を採用するため、デジタル／アナログ変換器をデータ駆動回路に統合しなければならない。また、有機発光ダイオードディスプレイの光度は電流によって制御され、即ちデジタル／アナログ変換器はデジタルデータをアナログ電流に変換するデジタル／アナログ変換回路でなければならず、いわばデジタル／アナログ電流変換回路である。同時に、対応するピクセルは電流駆動のピクセルでなければならない。
【０００４】
図１を参照するに、図１は従来のデータ駆動回路１０のブロック図である。図１はディスプレイにおけるピクセル２０に対応するデータ駆動回路１０を表わし、データ駆動回路１０はレベルシフター１２と、ラッチ１４と、シフトレジスター１６と、デジタル／アナログ電流変換器１８とを含む。レベルシフター１２はデジタル信号（ここでは六ビットのデジタル信号）を受信して電位を調整し、ラッチ１４はレベルシフターと電気的に接続された後にデジタル信号をバッファリングする機能を持つようになり、ラッチ１４は六ビットのデジタル信号をラッチングできる。ゆえに従来の技術においてラッチ１４は六ビットのラッチであり、シフトレジスター１６はシフトレジスター信号を出力し、ディスプレイにおけるピクセル２０に対応するデジタル信号を一回に全部レベルシフターに送信し、レベルシフターに電圧を調整してバッファリングさせてから、デジタル信号をラッチ１４に送信し、ラッチ１４にレベルシフティングとバッファリングさせる。デジタル／アナログ電流変換器１８はラッチ１４に接続された後、ラッチ１４から出力されるデジタル信号を受信し、デジタルデータをアナログ電流信号に変換し、アナログ電流信号を対応するデータライン１９に出力する。またデジタル電流信号によってグレイスケールの色合いを制御する。前述の従来の技術の基本構造は数多くの液晶ディスプレイのデータ駆動回路の設計に関わる特許と文献に掲げられ、有機発光ダイオードディスプレイはその構造をわずかに変更するものであり、例えば液晶ディスプレイのデジタル／アナログ変換器をデジタル／アナログ電流変換器に入れ替える。アメリカ合衆国特許第６，２５６，０２４号”Ｌｉｑｕｉｄ  ｃｒｙｓｔａｌ  ｄｉｓｐｌａｙ  ｄｅｖｉｃｅ”において、Ｍａｅｋａｗａ及びその他は前述に類似する液晶ディスプレイの構造を掲示する。
【０００５】
四ビットデジタルデータ入力のパネルを例にすれば、Ｊ．  Ｋａｎｉｃｋｉ他（アメリカ合衆国ミシガン大学）は簡単なデジタル／アナログ電流変換器回路を掲示する。寸法比率が１：２：４：８である四つの薄膜トランジスターの電流ソースによって十六種類のグレイスケール電流Ｉを発生させる。図２を参照されたい。図２は図１におけるデジタル／アナログ電流変換器１８を表わす説明図である。図示によれば、デジタル／アナログ電流変換器１８は複数のトランジスターＴ０〜Ｔ４によって構成される。電流グレイスケールＩｇは四個の寸法比率が１：２：４：８である薄膜トランジスターＴ１〜Ｔ４によって制御されるため、万一そのうちいずれかの薄膜トランジスターの閾値電圧と移動度により多い変化量が生じれば、グレイスケール電流Ｉは直ちに影響され、進んで対応するパネルのピクセル（例えば図１におけるピクセル２０）の表示均一性は影響される。なお、かかるデジタル／アナログ電流変換器１８の出力インピーダンスが足りず、デジタル／アナログ電流変換器１８を通過する電流の影響を受けやすく、デジタル／アナログ電流変換器１８の出力電圧が出力電流によって変わり、デジタル／アナログ電流変換器１８に対応するピクセル（例えば図１におけるピクセル２０）とが短絡するとき、その出力電流は安定した十六個のグレイスケール電流ではなくなる。
【０００６】
【発明が解決しようとする課題】
この発明は前述の問題を解決するため、電流保存複製機能の持ち、再生調節段階において複製電流信号を導通する電流保存複製モジュールを含むデジタル／アナログ電流変換回路を提供することによって、安定したグレイスケール電流を提供して表示デバイスを駆動することを課題とする。
【０００７】
【課題を解決するための手段】
この発明はデジタル／アナログ電流変換回路を提供する。該デジタル／アナログ電流変換回路は、デジタル信号をアナログ電流信号に変換するデジタル／アナログ電流変換器と、変換保存段階においてアナログ電流信号を導通するに必要な予定電圧を保存し、再生調節段階において複製電流信号をデータラインに導通する電流保存複製モジュールと、デジタル／アナログ電流変換器と電流保存複製モジュールとの間に電気的に接続され、デジタル／アナログ電流変換回路を変換保存段階と再生調節段階に切り替えさせる制御回路とを含む。
【０００８】
この発明はディスプレイに使用されるデジタル／アナログ電流変換回路を提供する。該デジタル／アナログ電流変換回路は、受信したデジタル信号をアナログ電流信号に変換する電流調節式デジタル／アナログ電流変換器と、それぞれ対応する変換保存段階においてアナログ電流信号を導通するに必要な予定電圧を保存し、対応する再生調節段階において複製電流信号を対応するデータラインに導通する複数の電流保存複製モジュールと、それぞれデジタル／アナログ電流変換器と電流保存複製モジュールとの間に電気的に接続され、デジタル／アナログ電流変換回路を変換保存段階と再生調節段階に切り替えさせる制御回路とを含む。そのうち各電流保存複製モジュールの発生する複製電流信号がアナログ電流信号とほぼ同じである。
【０００９】
かかるデジタル／アナログ電流変換回路の特徴を詳述するために、具体的な実施例を挙げ、図示を参照にして以下に説明する。
【００１０】
【発明の実施の形態】
図３を参照する。図３はこの発明によるデジタル／アナログ電流変換回路３４におけるデータ駆動回路３０のブロック図である。データ駆動回路３０の構造は図１に掲示されるのとほぼ同じ、ディスプレイにおけるピクセル４０に対応するものである。データ駆動回路３０はレベルシフター３２と、シフトレジスター３６と、デジタル／アナログ電流変換回路３４とを含む。レベルシフター３２は受信したデジタル信号（この実施例においては六ビットのデジタル信号）の電位を調整すると同時に、六ビットのデジタル信号をバッファリングとラッチングする。シフトレジスター３６はシフトレジスター信号ＳＲとスイッチ信号ＳＷとを出力し、シフトレジスター信号ＳＲはディスプレイにおけるピクセル４０のデジタル信号を一回に全部レベルシフター３２に送信し、レベルシフター３２にレベルシフティングとバッファリングさせてから、デジタル信号をデジタル／アナログ電流変換器３４に送信する。スイッチ信号ＳＷはデジタル／アナログ電流変換回路３４に変換保存段階と再生調節段階と切り替えさせる。この機能はこの発明の主な技術特徴であり、後述で更に説明する。デジタル／アナログ電流変換回路３４はレベルシフター３２から出力されるデジタル信号を複製電流信号に変換し、再生調節段階において複製電流信号をデータライン３９に出力する。データライン３９はピクセル４０と接続され、データ駆動回路３０は複製電流信号によってパネルのグレイスケールの色合いを制御する。
【００１１】
注意すべき点は、この実施例において、レベルシフター３２は図１における従来のラッチの機能を具えることである。実際の実施において、レベルシフター３２またはラッチの数量は限られず、需要に応じて増減される。なお、この実施例によるデータ駆動回路３０が従来の技術と最大な差異はデジタル／アナログ電流変換回路３４にある。ここでデジタル／アナログ電流変換回路３４を詳しく説明する。
【００１２】
図４を参照するに、図４は図３におけるデジタル／アナログ電流変換回路のブロック図である。図４におけるデジタル／アナログ電流変換回路は変換保存段階にある。デジタル／アナログ電流変換回路３４はデジタル／アナログ電流変換器３８と、電流保存複製モジュール４２と、制御回路４４と、データライン３９（図３におけるデータライン３９と同じである）とを含む。デジタル／アナログ電流変換器３８はデジタル信号（図３と同じ六ビットデジタル信号である）をアナログ電流信号に変換し、電流保存複製モジュール４２は変換保存段階おいてアナログ電流信号を導通するに必要な予定電圧を保存し、制御回路４４はデジタル／アナログ電流変換回器３８と電流保存複製モジュール４２との間に接続され、スイッチ信号ＳＷを受信し、スイッチ信号ＳＷによってデジタル／アナログ電流変換回路３４に変換保存段階と再生調節段階と切り替えさせる。
【００１３】
図５を参照するに、図５は図４におけるデジタル／アナログ電流変換回路３４を表わす説明図である。デジタル／アナログ電流変換器３８は図５において電流調節型デジタル／アナログ電流変換器３８であり、より高い出力インピーダンスを具え、デジタル／アナログ電流変換器３８を通過する電流による出力電圧値の影響を受けない。この実施例による電流保存複製モジュール４２はコンデンサーＣと、複数のＭＯＳトランジスターもしくは薄膜トランジスターを具え、そのうちコンデンサーＣはアナログ電流信号を導通するに必要な予定電圧を保存する機能を持つ。適当な外部電圧ソース（例えばＶｄｄ、Ｖｂｉａｓ）と、電流ソース（ｉ、２ｉ、…、２Ｎ−１ｉ）と、データ入力（Ｄ０、Ｄ１、…、ＤＮ−１）と、接地などの動作条件を提供する場合においては、デジタル／アナログ電流変換回路３４は関連動作を行える。
【００１４】
デジタル／アナログ電流変換回路３４が変換保存段階における動作は図４と図５を参照する。制御回路４４が受信したスイッチ信号ＳＷが高電位にある場合、デジタル／アナログ電流変換回路３４は変換保存段階にあり、本来レベルシフター３２によって増幅されるデジタル信号はデジタル／アナログ電流変換器３８によって処理された後、対応するアナログ電流信号を出力する。変換保存段階において、制御回路４４はデータライン３９にまでの経路を切断し、デジタル／アナログ電流変換器３８と電流保存複製モジュール４２との間の経路を接続し、アナログ電流信号を電流保存複製モジュール４２にまで導通する（図４における電流方向を表わす矢印Ｉの通り）。図５によれば、この時アナログ電流信号は電流保存複製モジュール４２における電圧ＶｄｄとコンデンサーＣと接続されるＰ型ＭＯＳトランジスターＴとコンデンサーＣを通過し、コンデンサーＣにアナログ電流信号を導通するに必要な予定電圧を保存させる。
【００１５】
言い換えれば、この実施例において、予定電圧はＰ型ＭＯＳトランジスターＴのゲート−ソース電圧（Ｖｇｓ）である。注意すべき点は、まず、電流保存複製モジュール４２はＭＯＳトランジスターまたは薄膜トランジスターによって構成されてもよく、即ち、予定電圧はＰ型薄膜トランジスターＴのゲート−ソース電圧（Ｖｇｓ）であってもよいことである。実際に、この実施例における電流保存複製モジュール４２についての主要な技術特徴は特定の電圧を保存してアナログ電流信号の導通に提供することにあるため、その他のトランジスターとコンデンサーＣもしくは回路デバイスからなる結合もこの実施例における電流保存複製モジュール４２に属する。もっとも、回路デバイスの結合によって、前述の変換保存段階の切り替えを行うため、制御回路４４が受信するスイッチ信号ＳＷは必ずしもこの実施例のような高電位であるわけでなく、適当な調整は必要である。なお、スイッチ信号ＳＷは図３の通りにレベルシフターによって発生するかその他の関連制御モジュールによって発生してもよい。
【００１６】
スイッチ信号ＳＷが低電位に戻る場合、デジタル／アナログ電流変換回路３４は再生調節段階になる。デジタル／アナログ電流変換回路３４が再生調節段階における動作は図５と図６の通りである。図６は図３におけるデジタル／アナログ電流変換回路３４の更なるブロック図であり、デジタル／アナログ電流変換回路３４が再生調節段階における動作を表わす。図６におけるデバイスの機能と符号付けは図４と同じであり、図５は図６の詳しい説明である。図４における変換保存段階との最大な差異は、制御回路４４が対応する切り替えを行った（スイッチ信号ＳＷが高電位から低電位に戻る）後、電流保存複製モジュールは再生調節段階において複製電流信号をデータライン３９に導通する（図６における電流方向を表わす矢印Ｉの通り）ことである。デジタル／アナログ電流変換回路３４が再生調節段階において、制御回路４４（制御回路４４が受信した低電位スイッチ信号ＳＷ）はデジタル／アナログ電流変換器３８と電流保存複製モジュール４２との間の接続を切断し、複製電流信号をデータライン３９に導通し、データライン３９と接続されるピクセル４０を駆動する。複製電流信号は電流保存複製モジュール４２が変換保存段階において保存した予定電圧によって発生する。予定電圧はアナログ電流信号を導通する必要に応じて保存されるため、複製電流信号は本来のデジタル／アナログ電流変換器３８によって発生されるアナログ電流信号とほぼ同じである。
【００１７】
注意すべき点は、変換保存段階における動作と同じく、トランジスターとコンデンサーＣもしくは回路デバイスからなる結合はこの発明による電流保存複製モジュール４２に属するため、回路デバイスの結合によって、前述の変換保存段階の切り替えを行うために、制御回路４４が受信するスイッチ信号ＳＷは適当な調整が必要である。
【００１８】
なお、図４から図６における電流方向は絶対的ではない。例えば再生調節段階におけるデジタル／アナログ電流変換回路３４の電流方向はピクセル４０に電流信号を出力する（電流ソースにする）方向である。仮に電流を逆方向にすれば、即ちこの発明によるデジタル／アナログ電流変換回路３４を電流シンクのアナログ電流ソースとしても、この発明に属する。ただしかくすれば、回路設計はそれに相応する置換と変化が必要となり、例えば回路における部分のＭＯＳトランジスターまたは薄膜トランジスターは互換する（Ｎ型、Ｐ型互換）必要となる。
【００１９】
最後に、実際応用において、この発明によるデジタル／アナログ電流変換回路の構造は一つのデジタル／アナログ電流変換器に複数の電流保存複製モジュールからなってもよい。かくして、複数の電流保存複製モジュールはそれぞれ制御回路があり、各制御回路はデジタル／アナログ電流変換器とそれに対応する電流保存複製モジュールとの間に電気的に接続され、デジタル／アナログ電流変換回路３４に変換保存段階と再生調節段階と切り替えさせる。図７を参照されたい。図７はこの発明によるデジタル／アナログ電流変換回路５４の更なるブロック図である。この発明によるデジタル／アナログ電流変換回路５４の構造は一つのデジタル／アナログ電流変換器５８に複数の電流保存複製モジュール６２ａ、６２ｂ、…、６２ｊからなり、複数の電流保存複製モジュール６２ａ、６２ｂ、…、６２ｊはそれぞれ対応する制御回路６４ａ、６４ｂ、…、６４ｊとデータライン５９ａ、５９ｂ、…、５９ｊがある。その動作の基本原理は図４から図６と同じである。各電流保存複製モジュール（６２ａ、６２ｂ、…、６２ｊにおける一つ）はデータライン（５９ａ、５９ｂ、…、５９ｊにおける一つ）にそれぞれ対応する。即ち、各電流保存複製モジュール（６２ａ、６２ｂ、…、６２ｊにおける一つ）は対応する変換保存段階においてアナログ電流信号を導通するに必要な予定電圧を保存し、対応する再生調節段階において予定電圧によって発生する複製電流信号を対応するデータライン（５９ａ、５９ｂ、…、５９ｊにおける一つ）にまで導通できる。なお、各電流保存複製モジュール（６２ａ、６２ｂ、…、６２ｊにおける一つ）が変換保存段階と再生調節段階との切り替えは対応する制御回路（６４ａ、６４ｂ、…、６４ｊにおける一つ）が受信するスイッチ信号（ＳＷａ、ＳＷｂ、…、ＳＷｊにおける一つ）による。スイッチ信号ＳＷａ、ＳＷｂ、…、ＳＷｊは一個か複数のシフトレジスター（例えば図３におけるシフトレジスター３６）によって発生するかその他の関連制御モジュールによって発生してもよい。
【００２０】
【発明の効果】
この発明によるデジタル／アナログ電流変換回路はディスプレイに応用されるものである。ディスプレイは有機発光ダイオードディスプレイ、有機ポリマー発光ダイオードディスプレイまたはその他の電流駆動のディスプレイシステムである。この発明によるデジタル／アナログ電流変換回路は電流調節型デジタル／アナログ電流変換器を含み、電流保存複製モジュールと対応する制御回路を通して電流を保存複製する。この発明によるデータ駆動回路は変換保存段階において予定電圧を保存し、再生調節段階において安定したグレイスケール電流を導通することができる。
【図面の簡単な説明】
【図１】従来のデータ駆動回路のブロック図である。
【図２】図１におけるデジタル／アナログ電流変換器を表わす説明図である。
【図３】この発明によるデジタル／アナログ電流変換回路におけるデータ駆動回路のブロック図である。
【図４】図３におけるデジタル／アナログ電流変換回路のブロック図である。
【図５】図４におけるデジタル／アナログ電流変換回路を表わす説明図である。
【図６】図３におけるデジタル／アナログ電流変換回路の更なるブロック図である。
【図７】この発明によるデジタル／アナログ電流変換回路の更なるブロック図である。
【符号の説明】
１０、３０                    データ駆動回路
１２、３２                    レベルシフター
１４                          ラッチ
１６、３６                    シフトレジスター
１８、３８、５８              デジタル／アナログ電流変換器
１９、３９、５９              データライン
２０、４０                    ピクセル
３４、５４                    デジタル／アナログ電流変換回路
４２、６２                    電流保存複製モジュール
４４、６４                    制御回路
【図１】
2004274692.tif 000003
【図２】
2004274692.tif 000004
【図３】
2004274692.tif 000005
【図４】
2004274692.tif 000006
【図５】
2004274692.tif 000007
【図６】
2004274692.tif 000008
【図７】
2004274692.tif 000009